【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
電気エネルギを複数の電気化学エネルギ蓄積装置に貯蔵し、且つ前記複数の電気化学エネルギ蓄積装置を電気エネルギ分配ネットワークと接続する電力工学的システムを介して電気エネルギを前記電気エネルギ分配ネットワークと交換する、方法であって、
前記複数の電気化学エネルギ蓄積装置（２．１〜２．Ｎ；２１．１〜２１．Ｍ；２１１．Ｍ，２１２．Ｍ）及び前記電力工学的システム（３．１；４．１〜４．Ｎ；３１．１〜３１．Ｍ；３１．Ｎ，３２．Ｎ）のトポロジーの特定のデータ及び特徴は、前記電気エネルギ分配ネットワーク（１１）に特定のデータ及び特徴に変換される、
ことを特徴とする、方法。
【請求項２】
前記複数の電気化学エネルギ蓄積装置（２．１〜２．Ｎ；２１．１〜２１．Ｍ；２１１．Ｍ，２１２．Ｍ）及び前記電力工学的システム（３．１；４．１〜４．Ｎ；３１．１〜３１．Ｍ；３１．Ｎ，３２．Ｎ）のトポロジーの特定のデータ及び特徴は、簡素なＡＣバッテリ（１．１〜１．Ｎ）に組み合わせられ、且つ前記電気エネルギ分配ネットワーク（１１）のデータ及び特徴に変換され、
前記ＡＣバッテリ（１．１〜１．Ｎ）は、ＡＣバッテリ管理部（５．１〜５．Ｎ）の手段によって制御、監視、及び調整される、
ことを特徴とする、請求項１に記載の方法。
【請求項３】
前記ＡＣバッテリ（１．１〜１．Ｎ）は、バッテリテクノロジを特徴付ける数量の変換によって、現在利用可能であり且つ最大限に提供可能である電力及び現在吸収可能であり且つ放出可能であるエネルギ等の、前記電気エネルギ分配ネットワーク（１１）に関連する数量において、充電電流及び放電電流、容量、充電状態、並びに同様のもの等の、それぞれ用いられるバッテリテクノロジに対して特徴を有する数量を表現する、
ことを特徴とする、請求項２に記載の方法。
【請求項４】
幾つかのＡＣバッテリ（１．１〜１．Ｎ）は、通信インタフェース（１２）を介して、バッテリパワープラント管理システム（６）と接続され、また１つのパワースイッチ（８．１〜８．Ｎ）をそれぞれ介して且つＰＣＣパワースイッチ（９）を介して、前記電気エネルギ分配ネットワーク（１１）の共通結合ポイント（１０）と接続される、
ことを特徴とする、請求項２又は３に記載の方法。
【請求項５】
幾つかの空間的に分離したＡＣバッテリ（１．１〜１．Ｎ）は、前記電気エネルギ分配ネットワーク（１１）の共通結合ポイント（１０）に接続され、また通信線（１２）を介して共通のバッテリパワープラント管理システム（６）と接続される、
ことを特徴とする、請求項２又は３に記載の方法。
【請求項６】
電気エネルギを複数の電気化学エネルギ蓄積装置に貯蔵し、且つ前記複数の電気化学エネルギ蓄積装置を電気エネルギ分配ネットワークと接続する電力工学的システムを介して電気エネルギを前記電気エネルギ分配ネットワークと交換する、装置であって、
−同一の化学的及び／又は物理的な特性を有する複数の直流電流バッテリ（複数のＤＣバッテリ２．１〜２．Ｎ，２１．１〜２１．Ｍ）を有する電気化学エネルギ貯蔵モジュールと、
−前記複数のＤＣバッテリ（２．１〜２．Ｎ，２１．１〜２１．Ｍ）を制御及び監視するバッテリ管理システム（２０．１〜２０．Ｎ）と、
−パワー電子モジュール（３．１，４．１〜４．Ｎ，３１．１〜３２．Ｍ）と、
−パワー電子モジュール制御手段（４０．１〜４０．Ｎ）と、
−前記バッテリ管理システム（２０．１〜２０．Ｎ）への通信インタフェース（１５）を有するＡＣバッテリ管理部（５．１〜５．Ｎ）と、
を有する、少なくとも１つのベースモジュール（複数のＡＣバッテリ１．１〜１．Ｎ）
によって特徴付けられる、装置。
【請求項７】
前記複数のＡＣバッテリ（１．１〜１．Ｎ）は、
同一の化学的及び／又は物理的な特性を有する複数のＤＣバッテリ（２．１〜２．Ｎ，２１．１〜２１．Ｍ）と並列に接続され、且つ各電気化学エネルギ貯蔵モジュールに関連付けられているバッテリ管理システム（２０．１〜２０．Ｎ）と並列に接続された、幾つかの電気化学エネルギ貯蔵モジュールを含み、前記バッテリ管理システム（２０．１〜２０．Ｎ）は、前記電気化学エネルギ貯蔵モジュールを制御及び監視する、
ことを特徴とする、請求項６に記載の装置。
【請求項８】
前記パワー電子モジュール（３．１，４．１〜４．Ｎ，３１．１〜３２．Ｍ）はインバータ（４．１〜４．Ｎ）を含み、当該インバータ（４．１〜４．Ｎ）は、ＤＣ側において、前記複数の電気化学エネルギ貯蔵モジュールに接続され、またＡＣ側において、直接的に又は中間電圧変圧器（７．１〜７．Ｎ）を介して、パワーバスバー又は共通結合ポイント（１０）に接続される、
ことを特徴とする、請求項６又は７に記載の装置。
【請求項９】
前記パワー電子モジュール（３．１，４．１〜４．Ｎ，３１．１〜３２．Ｍ）は、
前記複数の電気化学エネルギ貯蔵モジュールに接続された少なくとも１つのＤＣ／ＤＣコンバータ（３．１，３１．１〜３２．Ｍ）と、
ＤＣ側において、前記（複数の）ＤＣ／ＤＣコンバータ（３．１，３１．１〜３２．Ｍ）に接続され、且つ、ＡＣ側において、直接的に又は中間電圧変圧器（７．１〜７．Ｎ）を介してパワーバスバー又は共通結合ポイント（１０）に接続されたインバータ（４．１〜４．Ｎ）と、を含む、
ことを特徴とする、請求項６〜８のうちのいずれか一項に記載の装置。
【請求項１０】
前記複数のＡＣバッテリ（１．１〜１．Ｎ）は、同一の又は異なる化学的及び／又は物理的な特性を有する複数のＤＣバッテリ（２．１〜２．Ｎ，２１．１〜２１．Ｍ）と、且つ、各電気化学エネルギ貯蔵モジュールを制御及び監視する、各電気化学エネルギ貯蔵モジュールに関連付けられたバッテリ管理システム（２０．１〜２０．Ｎ）と、複数のグループをなして並列接続された幾つかの電気化学エネルギ貯蔵モジュールを含み、
複数のグループをなして並列接続された前記複数の電気化学エネルギ貯蔵モジュールは、各グループに関連付けられたＤＣ／ＤＣコンバータ（３．１，３１．１〜３２．Ｍ）を介してインバータ（４．１〜４．Ｎ）と接続される、
ことを特徴とする、請求項８又は９に記載の装置。
【請求項１１】
前記複数の電気化学エネルギ貯蔵モジュールは、同一の化学的及び／又は物理的な特性を有する幾つかの直列接続されたＤＣバッテリ（２．１〜２．Ｎ，２１．１〜２１．Ｍ）を含む、
ことを特徴とする、請求項６〜１０のうちのいずれか一項に記載の装置。
【請求項１２】
前記複数のＡＣバッテリ（１．１〜１．Ｎ）は、中間電圧バッテリとして形成され、また前記パワー電子モジュール（４．１〜４．Ｎ）及び中間電圧パワースイッチ（８．１〜８．Ｎ）を介してパワーバスバー又は共通結合ポイント（１０）と接続される、
ことを特徴とする、請求項６〜１１のうちのいずれか一項に記載の装置。
【請求項１３】
前記パワー電子モジュール（４．１〜４．Ｎ）の出力部は、中間電圧変圧器（７．１〜７．Ｎ）を介して、前記中間電圧パワースイッチ（８．１〜８．Ｎ）と接続される、
ことを特徴とする、請求項１２に記載の装置。
【請求項１４】
前記複数のＡＣバッテリ（１．１〜１．Ｎ）は、同一の化学的及び／又は物理的な特性を有する複数のＤＣバッテリ（２．１〜２．Ｎ，２１．１〜２１．Ｍ）を有する２つの電気化学エネルギ貯蔵モジュールを含み、前記複数のＤＣバッテリ（２．１〜２．Ｎ，２１．１〜２１．Ｍ）の各々はインバータ（４．１〜４．Ｎ）と接続され、
前記インバータ（４．１〜４．Ｎ）は、二次側においてパワーバスバー又は共通結合ポイント（１０）と接続された三巻線変圧器の一次巻線に接続される、
ことを特徴とする、請求項１２又は１３に記載の装置。
【請求項１５】
バッテリパワープラント（ＢＫＷ）を形成する少なくとも２つのＡＣバッテリ（１．１〜１．Ｎ）であって、当該少なくとも２つのＡＣバッテリ（１．１〜１．Ｎ）は、直接的に、又は中間電圧パワースイッチ（８．１〜８．Ｎ）を介して、又は中間電圧パワースイッチ（８．１〜８．Ｎ）と中間電圧変圧器（７．１〜７．Ｎ）を介して、１つの共通結合ポイント（１０）に接続され、且つ同一の又は異なる化学的及び／又は物理的な特性を有する複数の電気化学エネルギ貯蔵モジュール（２．１〜２．Ｎ）を含む、少なくとも２つのＡＣバッテリ（１．１〜１．Ｎ）、
によって特徴付けられる、請求項６〜１４のうちのいずれか一項に記載の装置。
【請求項１６】
バッテリパワープラント（ＢＫＷ）を形成する少なくとも２つのＡＣバッテリ（１．１〜１．Ｎ）は、前記パワー電子モジュール（３．１，４．１〜４．Ｎ，３１．１〜３２．Ｍ）のための異なる複数のトポロジーを有する、
ことを特徴とする、請求項６〜１５のうちのいずれか一項に記載の装置。
【請求項１７】
前記複数のＡＣバッテリ（１．１〜１．Ｎ）は、
−複数の電気化学エネルギ貯蔵モジュール（２．１）と接続されたインバータ（４．１）、及び／又は、
−並列接続された複数の電気化学エネルギ貯蔵モジュール（２．Ｎ）と接続されたＤＣ／ＤＣコンバータ（３１．Ｎ）、及び前記ＤＣ／ＤＣコンバータ（３１．Ｎ）と接続されたインバータ（４．Ｎ）、及び／又は、
−複数のグループをなして並列接続された複数の電気化学エネルギ貯蔵モジュール（２．Ｎ）であって、各グループは１つのＤＣ／ＤＣコンバータ（３１．Ｎ，３２．Ｎ）と接続され、各ＤＣ／ＤＣコンバータ（３１．Ｎ，３２．Ｎ）はインバータ（４．Ｎ）に接続された、複数の電気化学エネルギ貯蔵モジュール（２．Ｎ）、を含む、
ことを特徴とする、請求項１６に記載の装置。
【請求項１８】
グリッドを形成するパワープラントとして、幾つかのＡＣバッテリ（１．１〜１．Ｎ）を含むバッテリパワープラント（ＢＫＷ）は、前記電気エネルギ分配ネットワーク（１１）の電圧と周波数を制御し、過電流保護機構をトリガするための短絡回路電流を供給する、
ことを特徴とする、請求項６〜１７のうちのいずれか一項に記載の装置。
【請求項１９】
前記バッテリパワープラント（ＢＫＷ）は電力ソース及び電力ドレインとして動作し、
前記複数のＡＣバッテリ（１．１〜１．Ｎ）によって前記電気エネルギ分配ネットワーク（１１）に放出されるパワーは、前記電気エネルギ分配ネットワーク（１１）のグリッド周波数に依存して制御される、
ことを特徴とする、請求項１８に記載の装置。
【請求項２０】
通信インタフェース（１２）を介して、前記ＡＣバッテリ管理部（５．１〜５．Ｎ）はバッテリパワープラント管理システム（６）と接続され、当該バッテリパワープラント管理システム（６）は、共通結合ポイント（１０）を前記電気エネルギ分配ネットワーク（１１）と接続する前記複数の中間電圧パワースイッチ（８．１〜８．Ｎ）とＰＣＣパワースイッチ（９）を作動させる、
ことを特徴とする、請求項６〜１９のうちのいずれか一項に記載の装置。
【請求項２１】
バッテリパワープラント（ＢＫＷ）は、再生可能エネルギ源を併用して、ハイブリッドパワープラントとして動作し、グリッド周波数に依存して前記電気エネルギ分配ネットワーク（１１）の共通結合ポイント（１０）における特定のパワーを制御する、
ことを特徴とする、請求項６〜２０のうちのいずれか一項に記載の装置。